(57)【要約】      （修正有）【課題】フェース板の背面に複数個の傾斜部が設けられ、複数個の傾斜部には全てそれぞれ薄い端部と厚い端部が形成され、薄い端部と厚い端部は傾斜部の両端に位置するように形成され、隣接する二個の傾斜部の内の一個の傾斜部の厚い端部はもう一個の傾斜部の薄い端部に接近するように形成されることにより、フェース板の打球のスイートスポットを拡大し、打球時のボール飛び出しの角度を調整することができる。【解決手段】フェース板１およびヘッド本体２が含まれる。フェース板１は対応するヘッド本体２の開口２１に結合されることにより、共同でゴルフクラブヘッドが形成される。フェース板１の背面には傾斜部１２１が設けられ、傾斜部１２１には薄い端部と厚い端部が形成され、薄い端部と厚い端部は傾斜部１２１の両端に位置するように形成されることにより、フェース板１は異なる肉厚の変化を有するように構成されている。【選択図】図３
0003133532.tif 000002
【実用新案登録請求の範囲】
【請求項１】
フェース板（１）およびヘッド本体（２）が含まれるゴルフクラブヘッドのフェース板構造であって、フェース板（１）は対応するヘッド本体（２）の開口（２１）に結合されることにより、共同でゴルフクラブヘッドが形成され、フェース板（１）の背面には傾斜部（１２１）が設けられ、傾斜部（１２１）は縦方向でフェース板（１）の背面の中央部位を通過するように形成され、そして傾斜部（１２１）には薄い端部と厚い端部が形成され、上記薄い端部と厚い端部は傾斜部（１２１）の両端に位置するように形成され、上記厚い端部はフェース板（１）の底周縁（１３２）に接近するように形成されることを特徴とするゴルフクラブヘッドのフェース板構造。
【請求項２】
フェース板（１）には他に少なくとも一個の接合部（１２２）が形成され、連接部（１２２）は傾斜部（１２１）の側辺に位置するように形成され、連接部（１２２）により傾斜部（１２１）とフェース板（１）の背面のその他の部位と連接するように形成されることを特徴とする請求項１記載のゴルフクラブヘッドのフェース板構造。
【請求項３】
連接部（１２２）はフェース板（１）の一方の側辺から他方の側辺に向かって延伸するように形成され、そして連接部（１２２）の巾はその延伸方向に沿って次第に縮小するように形成されることを特徴とする請求項２記載のゴルフクラブヘッドのフェース板構造。
【請求項４】
フェース板（１）およびヘッド本体（２）が含まれるゴルフクラブヘッドのフェース板構造であって、フェース板（１）は対応するヘッド本体（２）の開口（２１）に結合されることにより、共同でゴルフクラブヘッドが形成され、フェース板（１）の背面には複数個の傾斜部（１２１、１２３、１２４）が設けられ、複数個の傾斜部（１２１、１２３、１２４）には全てそれぞれ薄い端部と厚い端部が形成され、上記各薄い端部と厚い端部は各傾斜部（１２１、１２３、１２４）の両端に位置するように形成され、隣接する二個の傾斜部（１２１、１２３、１２４）の内の一個の傾斜部の厚い端部はもう一個の傾斜部の薄い端部に接近するように形成されることにより、フェース板（１）の少なくとも一方の側辺には上記薄い端部と厚い端部が同時に形成されることを特徴とするゴルフクラブヘッドのフェース板構造。
【請求項５】
複数個の傾斜部（１２１、１２３、１２４）の内の一個の傾斜部（１２１）は縦方向でフェース板（１）の背面の中央部位を通過するように形成され、そして傾斜部（１２１）の厚い端部はフェース板（１）の底周縁（１３２）に接近するように形成されることを特徴とする請求項４記載のゴルフクラブヘッドのフェース板構造。
【請求項６】
複数個の傾斜部（１２１’、１２３’）は横方向で分布するように形成され、複数個のの傾斜部（１２１’、１２３’）の内の一個の傾斜部（１２１’）はフェース板（１）の上周縁（１３１）に接近するように形成され、そして傾斜部（１２１’）の厚い端部はヘッド本体（２）のホーゼル（２２）に接近するように形成されることを特徴とする請求項４記載のゴルフクラブヘッドのフェース板構造。
【請求項７】
フェース板（１）には他に少なくとも一個の連接部（１２２）が形成され、連接部（１２２）は隣接する二個の傾斜部（１２１、１２３、１２４）の間に位置するように形成されることを特徴とする請求項４記載のゴルフクラブヘッドのフェース板構造。
【請求項８】
連接部（１２２）はフェース板（１）の打球方向において投影面積を有するように形成されることを特徴とする請求項７記載のゴルフクラブヘッドのフェース板構造。
【請求項９】
連接部（１２２）が打球方向においての投影面積はフェース板（１）の一方の側辺からフェース板（１）の他方の側辺へ延伸するように形成され、そして上記投影面積の巾はその延伸方向に沿って次第に縮小するように形成されることを特徴とする請求項８記載のゴルフクラブヘッドのフェース板構造。
【考案の詳細な説明】
【技術分野】
【０００１】
本考案は、ゴルフクラブヘッドのフェース板構造に関するもので、特にフェース板の背面において複数個の傾斜部を設置することにより、打球のスイートスポットを拡大させ、そしてボール飛び出しの角度を調整することができるゴルフクラブヘッドのフェース板構造に係るものである。
【背景技術】
【０００２】
従来のゴルフクラブヘッドのフェース板構造の構造としては、ヘッド本体とフェース板が含まれる。上記フェース板は上記ヘッド本体の正面に対応するように組み立てられることにより、共同でゴルフクラブヘッドが形成される。上記フェース板には打球正面と結合背面が設けられ、上記打球正面はゴルフボールを打球するのに用いられ、上記結合背面は上記打球正面に対応するように上記フェース板のもう一方に位置するように形成され、上記結合背面は上記ヘッド本体の正面に対応するように結合するのに用いられる。上記結合背面は上記フェース板の上部から上記フェース板の底部へ向かって下方へ延伸するように複数個のエリアが形成され、さらに上記複数個のエリアの肉厚は上記フェース板の中央部位からそれぞれ左側と右側に向かって次第に縮減するように形成される。上記複数個のエリアが上記フェース板の横方向で形成される肉厚の変化により、ゴルフクラブヘッドの打球の性能を高めることができ、さらに構造上において上記フェース板の肉厚を適当に減らすことにより、上記フェース板の弾性変形の能力を高めることができるため、従来のゴルフクラブヘッドのフェース板構造の打球の安定性を増やすことができるようにとしたものがある（例えば、特許文献１を参照）。
【特許文献１】日本国特開２００４−２０８８７１号
【考案の開示】
【考案が解決しようとする課題】
【０００３】
上記のような従来のゴルフクラブヘッドのフェース板構造においては、一般として下記の問題点を有している。例えば、上記結合背面の各複数個のエリアは縦方向においては均一な肉厚しか有せず、そして異なる肉厚の変化を有しないため、上記フェース板は打球時のボール飛び出しの仰角に対して調整と修正を行うことができないという問題点を有している。このように、上記のような従来のゴルフクラブヘッドのフェース板構造をさらに改良しなければならない。
【０００４】
本考案はこのような問題点に鑑みて考案したものであって、その目的とするところは、フェース板の背面に複数個の傾斜部が設けられ、上記複数個の傾斜部には全てそれぞれ薄い端部と厚い端部が形成され、上記薄い端部と厚い端部は上記傾斜部の両端に位置するように形成され、隣接する二個の傾斜部の内の一個の傾斜部の厚い端部はもう一個の傾斜部の薄い端部に接近するように形成され、上記フェース板の少なくとも一方の側辺には上記薄い端部と厚い端部が同時に形成され、上記フェース板の異なるエリアには全て異なる肉厚の変化を有するように形成されることにより、上記フェース板の打球のスイートスポットを拡大することができ、さらに打球時のボール飛び出しの角度を調整することができるため、ゴルフクラブヘッドの打球の性能を有効に高めることができるゴルフクラブヘッドのフェース板構造を提供しようとするものである。
【０００５】
本考案の第一の目的は、フェース板の背面に複数個の傾斜部が設けられ、上記複数個の傾斜部には全てそれぞれ薄い端部と厚い端部が形成され、上記薄い端部と厚い端部は上記傾斜部の両端に位置するように形成され、隣接する二個の傾斜部の内の一個の傾斜部の厚い端部はもう一個の傾斜部の薄い端部に接近するように形成されることにより、上記フェース板の打球のスイートスポットを拡大することができ、さらに打球時のボール飛び出しの角度を調整することができるゴルフクラブヘッドのフェース板構造を提供しようとするものである。
【０００６】
本考案の第二の目的は、隣接する二個の傾斜部の間に連接部を設けられ、上記連接部がフェース板の打球方向において投影面積が形成されることにより、打球時に生じる打球の応力が上記二個の傾斜部の接合部位に集中するのを避けることができ、それにより、打球の応力を分散することができると共に、使用寿命を増やすことができるゴルフクラブヘッドのフェース板構造を提供しようとするものである。
【課題を解決するための手段】
【０００７】
上記目的を達成するために、本考案によるゴルフクラブヘッドのフェース板構造は、下記のようになるものである。すなわち、
フェース板およびヘッド本体が含まれる。フェース板は対応するヘッド本体の開口に結合されることにより、共同でゴルフクラブヘッドが形成される。フェース板の背面には傾斜部が設けられ、傾斜部は縦方向でフェース板の背面の中央部位を通過するように形成され、そして傾斜部には薄い端部と厚い端部が形成され、薄い端部と厚い端部は傾斜部の両端に位置するように形成され、厚い端部はフェース板の底周縁に接近するように形成される。
【０００８】
本考案によるゴルフクラブヘッドのフェース板構造は、フェース板には他に少なくとも一個の接合部が形成され、連接部は傾斜部の側辺に位置するように形成され、連接部により傾斜部とフェース板の背面のその他の部位と連接するように形成されることもできる。また、連接部はフェース板の一方の側辺から他方の側辺に向かって延伸するように形成され、そして連接部の巾はその延伸方向に沿って次第に縮小するように形成されることもできる。
【０００９】
また、本考案によるゴルフクラブヘッドのフェース板構造は、フェース板およびヘッド本体が含まれる。フェース板は対応するヘッド本体の開口に結合されることにより、共同でゴルフクラブヘッドが形成される。フェース板の背面には複数個の傾斜部が設けられ、複数個の傾斜部には全てそれぞれ薄い端部と厚い端部が形成され、各薄い端部と厚い端部は各傾斜部の両端に位置するように形成される。隣接する二個の傾斜部の内の一個の傾斜部の厚い端部はもう一個の傾斜部の薄い端部に接近するように形成されることにより、フェース板の少なくとも一方の側辺には薄い端部と厚い端部が同時に形成される。
【００１０】
さらに、本考案によるゴルフクラブヘッドのフェース板構造は、複数個の傾斜部の内の一個の傾斜部は縦方向でフェース板の背面の中央部位を通過するように形成され、そして傾斜部の厚い端部はフェース板の底周縁に接近するように形成されることもできる。また、複数個の傾斜部は横方向で分布するように形成され、複数個のの傾斜部の内の一個の傾斜部はフェース板の上周縁に接近するように形成され、そして傾斜部の厚い端部はヘッド本体のホーゼルに接近するように形成されることもできる。また、フェース板には他に少なくとも一個の連接部が形成され、連接部は隣接する二個の傾斜部の間に位置するように形成されることもできる。また、連接部はフェース板の打球方向において投影面積を有するように形成されることもできる。また、連接部が打球方向においての投影面積はフェース板の一方の側辺からフェース板の他方の側辺へ延伸するように形成され、そして上記投影面積の巾はその延伸方向に沿って次第に縮小するように形成されることもできる。
【考案の効果】
【００１１】
本考案のゴルフクラブヘッドのフェース板構造によれば、フェース板の背面に複数個の傾斜部が設けられ、上記複数個の傾斜部には全てそれぞれ薄い端部と厚い端部が形成され、上記薄い端部と厚い端部は上記傾斜部の両端に位置するように形成され、隣接する二個の傾斜部の内の一個の傾斜部の厚い端部はもう一個の傾斜部の薄い端部に接近するように形成されることにより、上記フェース板の打球のスイートスポットを拡大することができ、さらに打球時のボール飛び出しの角度を調整することができるという利点がある。
【００１２】
本考案のゴルフクラブヘッドのフェース板構造によれば、隣接する二個の傾斜部の間には連接部が設けられ、上記連接部はフェース板の打球方向において投影面積が形成されることにより、打球時に生じる打球の応力が上記二個の傾斜部の接合部位に集中するのを避けることができるため、打球の応力を分散することができると共に、使用寿命を増やすことができるという利点がある。
【考案を実施するための最良の形態】
【００１３】
本考案の実施例について、以下、図面を参照して説明する。
【実施例１】
【００１４】
本考案の実施の形態について、以下、図面を参照して説明する。
【００１５】
本考案のゴルフクラブヘッドのフェース板構造は選択的にウッド型ヘッド、アイアン型ヘッドまたはパター型ヘッドなどの従来のヘッドのフェース板構造からなる。図１を参照すると、本考案の実施例１のゴルフクラブヘッドのフェース板構造はウッド型ヘッドを例に挙げ、フェース板１およびヘッド本体２が含まれ、ヘッド本体２には開口２１が形成され、開口２１はフェース板１が対応するように結合するのに用いられることにより、共同でゴルフクラブヘッドを組み合わせて形成する。その他に、ヘッド本体２には実質的にクラウン部（crown、標示せず）、トー部（toe、標示せず）、ソール部（sole、標示せず）、ヒール部（heel、標示せず）とホーゼル２２（hosel）などのヘッドの基本構造が含まれる。
【００１６】
再び図１を参照すると、本考案の実施例１のフェース板１は好ましくは選択的に高い弾性変形の能力と高い振動吸収の能力を有する金属材質からなり、例えば炭素鋼、ステンレス鋼（１７‐４ＰＨステンレス鋼）、合金鋼、ニッケル合金、鋳鉄、超合金鋼、フェロ−マンガン−アルミ合金、チタン合金、銅合金、アルミ合金、マグネシウム合金または上述の金属材質の組合せからなる。フェース板１には正面１１、背面１２と結合周縁１３が形成される。正面１１はフェース板１の一つの表面でゴルフボール（図示せず）を打球するのに用いられる。背面１２は正面１１に相対してフェース板１のもう一つの表面に位置する。結合周縁１３は正面１１と背面１２の間を囲んでフェース板１の外周側に設置され、結合周縁１３には上周縁１３１、底周縁１３２、第一側辺１３３と第二側辺１３４が形成され、そしてそれぞれ対応するヘッド本体２の開口２１の内周側に結合される。上周縁１３１はヘッド本体２のクラウン部に接近し、底周縁１３２はヘッド本体２のソール部に接近し、第一側辺１３３はヘッド本体２のトー部に接近し、そして第二側辺１３４はヘッド本体２のヒール部とホーゼル２２に接近するように形成される。
【００１７】
再び図１を参照すると、本考案の実施例１の背面１２には一体成形になるように一個の第一傾斜部１２１と二個の連接部１２２が設けられる。第一傾斜部１２１は背面１２の中央部位を通過し、そして結合周縁１３の底周縁１３２から対応するフェース板１の打球のスイートスポット（Sweet Spot）を通過して縦方向で傾斜して結合周縁１３の上周縁１３１まで延伸するように形成される。二個の連接部１２２はそれぞれ第一傾斜部１２１の両側に位置して第二側辺１３３と第二側辺１３４の部位に接近するように形成される。さらに詳しく言えば、第一傾斜部１２１の表面はフェース板１の正面１１に相対して傾斜するように形成され、第一傾斜部１２１は底周縁１３２から上周縁１３１に下へ向かって傾斜し、そして第一傾斜部１２１のエリア内のフェース板１が上周縁１３１に接近する部位において薄い端部を形成させ、さらに底周縁１３２に接近する部位において厚い端部を形成させることにより、フェース板１において上が薄く下が厚いとの肉厚の変化を形成させる。その他に、連接部１２２は好ましくは底周縁１３２から上周縁１３１に向かって延伸するように、または上周縁１３１から底周縁１３２に向かって延伸するように、そしてその巾はその延伸方向に沿って次第に縮小するように形成される。
【００１８】
再び図１を参照すると、本考案の実施例１の第一傾斜部１２１はフェース板１の背面１２の中央部位を通過し、フェース板１の打球のスイートスポットの背面において上が薄く下が厚いとの肉厚の変化が形成されることにより、フェース板１が上周縁１３１に接近する部位における弾性変形の能力はフェース板１が底周縁１３２に接近する部位における弾性変形の能力より優れるため、打球時のボール飛び出しの仰角を増やすことができる。また、連接部１２２により第一傾斜部１２１とフェース板１の背面１２のその他の部位とスムースに連接することにより、打球時の打球の応力を分散することができると同時に、第一傾斜部１２１とその他の部位との接合部位の構造の強度を増やすことができるため、ゴルフクラブヘッドの使用寿命を有効に延ばすことができる。
【実施例２】
【００１９】
図２を参照すると、本考案の実施例２のゴルフクラブヘッドのフェース板構造が掲示される。実施例１と比較してみると、実施例２においてフェース板１の背面１２には他に第二傾斜部１２３と第三傾斜部１２４が設けられる。第二傾斜部１２３と第三傾斜部１２４はそれぞれ第一傾斜部１２１の両側に設置され、そしてそれぞれ結合周縁１３の第一側辺１３３および第二側辺１３４と隣接するように形成され、さらに第二傾斜部１２３と第三傾斜部１２４は結合周縁１３の上周縁１３１から縦方向で下へ向かって傾斜して結合周縁１３の底周縁１３２まで延伸するように形成される。
【００２０】
図３を参照すると、本考案の実施例２の連接部１２２は隣接する二個の傾斜部を連接するのに用いられ、そして連接部１２２は打球方向において投影面積を有するように形成される。また、連接部１２２が打球方向においての投影面積は好ましくは底周縁１３２から上周縁１３１に向かって延伸するように、または上周縁１３１から底周縁１３２に向かって延伸するように形成され、そして上記投影面積の巾はその延伸方向に沿って次第に縮小するように形成される。
【００２１】
図２、４、５を参照すると、本考案の実施例２の第二傾斜部１２３と第三傾斜部１２４の表面もフェース板１の正面１１に相対して傾斜するように形成される。これにより、二個の傾斜面１２３、１２４と第一傾斜面１２１は共同でフェース板１において交錯に排列して肉厚の変化を有するように形成される、さらに詳しく言えば、第一傾斜面１２１がフェース板１において上が薄く下が厚いとの肉厚の変化が形成されるのに対し、第二傾斜部１２３と第三傾斜部１２４は上周縁１３１から底周縁１３２に向かって下へ傾斜するように形成されることにより、第二傾斜部１２３と第三傾斜部１２４のエリア内のフェース板１が上周縁１３１に接近する部位においてそれぞれ厚い端部が形成され、そして底周縁１３２に接近する部位においてそれぞれ薄い端部が形成されるため、フェース板１において上が厚く下が薄いとの肉厚の変化が形成される。上周縁１３１に接近する部位において、フェース板１が第一傾斜部１２１の内においての肉厚は第二傾斜部１２３と第三傾斜部１２４の内においての肉厚より小さく、そして底周縁１３２に接近する部位において、フェース板１が第一傾斜部１２１の内においての肉厚は第二傾斜部１２３と第三傾斜部１２４の内においての肉厚より大きい。その他に、第二傾斜部１２３と第三傾斜部１２４は選択的に同じまたは異なる傾斜の角度を有するように形成することができる。
【００２２】
図６を参照すると、本考案の実施例２のもう一つの実施形態が掲示される。上周縁１３１に接近する部位において、フェース板１が第一傾斜部１２１の内においての肉厚は第二傾斜部１２３と第三傾斜部１２４の内においての肉厚とはちょうど同じである。すなわち、第一傾斜部１２１の薄い端部は第二傾斜部１２３および第三傾斜部１２４の厚い端部とは同じ肉厚を有するように形成される。
【００２３】
図２、３、４、５、６を参照すると、本考案の実施例２において第二傾斜部１２３と第三傾斜部１２４の傾斜方向は縦方向において第一傾斜部１２１とは反対になるため、第二傾斜部１２３と第三傾斜部１２４によりフェース板１が上周縁１３１に接近する部位の構造の強度を補強することができる。その他に、連接部１２２により第一傾斜部１２１および第二傾斜部１２３と第一傾斜部１２１および第三傾斜部１２４を連接し、そして打球の方向において上記投影面積を形成することにより、打球時の打球の応力を分散することができると同時に、各傾斜部１２１、１２３、１２４の接合部位の構造の強度を増やすことができるため、ゴルフクラブヘッドの使用寿命を有効に延ばすことができる。
【００２４】
再び図２、３、４、５、６を参照すると、各傾斜部１２１、１２３、１２４によりボール飛び出しの角度を増やしてフェース板１の構造の強度を維持することができるだけではなく、各傾斜部１２１、１２３、１２４によりフェース板１の異なる縦方向のエリアの内には全て異なる肉厚の変化が形成されるため、フェース板１の弾性変形の能力を有効に高めることができると同時に、打球のスイートスポットを拡大することができる。
【実施例３】
【００２５】
図７を参照すると、本考案の実施例３のゴルフクラブヘッドのフェース板構造が掲示される。実施例１、２と比較してみると、実施例３においてフェース板１の背面１２には第一傾斜部１２１’と第二傾斜部１２３’が横方向で延伸して分布するように形成される。第一傾斜部１２１’と第二傾斜部１２３’は上下に並列するように形成され、そして第一傾斜部１２１’はフェース板１の上周縁１３１に接近するように形成され、さらに第二傾斜部１２３’は底周縁１３２に隣接するように形成される。第一傾斜部１２１’は第二側辺１３４から第一側辺１３３に向かって下へ傾斜するように形成され、そして第一傾斜部１２１’のエリア内のフェース板１が第一側辺１３３に接近する部位においては薄い端部が形成され、さらに第二側辺１３４に接近する部位においては厚い端部が形成される。また、第二傾斜部１２３’は第一側辺１３３から第二側辺１３４に向かって下へ傾斜するように形成され、そして第二傾斜部１２３’のエリア内のフェース板１が第一側辺１３３に接近する部位においては厚い端部が形成され、さらに第一側辺１３３に接近する部位においては薄い端部が形成される。
【００２６】
再び図７を参照すると、フェース板１の背面１２において横方向で第一傾斜部１２１’と第二傾斜部１２３’を設置することにより、フェース板１の異なる横方向のエリア内には全て異なる肉厚の変化が形成されるため、異なる横方向のエリア内において異なる弾性変形の量を生じさせることができ、さらにゴルフクラブヘッドのボール飛び出しの角度を水平に調整することができる。その他に、第一傾斜部１２１’がホーゼル２２に接近する部位には比較的大きい肉厚を有するため、フェース板１がホーゼル２２に接近する部位の構造の強度を増やすことができる。そして、第二傾斜部１２３’がトー部に接近する部位には比較的大きい肉厚を有するため、フェース板１がトー部に接近する部位の構造の強度を補強することができると同時に、材料を節約することができる。
【産業上の利用可能性】
【００２７】
上述の如く、従来のゴルフクラブヘッドのフェース板構造によれば、結合背面の各複数個のエリアは縦方向においては均一な肉厚しか有せず、そして異なる肉厚の変化を有しないため、打球時のボール飛び出しの仰角に対して調整と修正を行うことができないなどの問題点があったが、図３に示す本考案のゴルフクラブヘッドのフェース板構造によれば、ヘッド本体１の背面１２において複数個の傾斜部１２１、１２３、１２４を形成し、複数個の傾斜部１２１、１２３、１２４は全てそれぞれ厚い端部と薄い端部を有し、そして傾斜部の厚い端部（または薄い端部）はもう一個の傾斜部の薄い端部（または厚い端部）と接近し、その内の二個の傾斜部は隣接し、さらにフェース板１の少なくとも一個の周縁に厚い端部と薄い端部を同時に形成することにより、フェース板１の異なるエリア内には全て異なる肉厚の変化を有するため、確実にゴルフクラブヘッドの打球の安定性を有効に高め、さらに製造コストを低く抑え、使用寿命を延ばすことができる。
【００２８】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００２９】
【図１】本考案の実施例１のゴルフクラブヘッドのフェース板構造を示す分解斜視図である。
【図２】本考案の実施例２のゴルフクラブヘッドのフェース板構造を示す分解斜視図である。
【図３】本考案の実施例２のゴルフクラブヘッドのフェース板構造による組み立てられた状態を示す正面図である。
【図４】図３の４−４線に沿った断面図である。
【図５】図３の５−５線に沿った断面図である。
【図６】本考案の実施例２のゴルフクラブヘッドのフェース板構造によるもう一つの実施形態の分解斜視図である。
【図７】本考案の実施例３のゴルフクラブヘッドのフェース板構造を示す分解斜視図である。
【符号の説明】
【００３０】
１    フェース板                      １１    正面
１２    背面                          １２１    第一傾斜部
１２１’  第一傾斜部                    １２２    連接部
１２３    第二傾斜部                    １２３’  第二傾斜部
１２４    第三傾斜部                      １３    結合周縁
１３１    上周縁                        １３２    底周縁
１３３    第一側辺                      １３４    第二側辺
２    ヘッド本体                      ２１    開口
２２    ホーゼル
【図１】
0003133532.tif 000003
【図２】
0003133532.tif 000004
【図３】
0003133532.tif 000005
【図４】
0003133532.tif 000006
【図５】
0003133532.tif 000007
【図６】
0003133532.tif 000008
【図７】
0003133532.tif 000009